(57)【要約】【課題】背凭シートがウォークインさせたときの元の傾斜への復帰操作が必要である課題、元の傾斜への復帰操作をリクライニング機構に組み込むことによる部品共通化不可の弊害となる課題。【解決手段】リクライニング機構４はリング部材８０の内周に設けた円弧ギヤ８３と、リング部材８０の内側に設けたロック部材７４と、ロック部材７４を円弧ギヤ８３にロック・アンロックさせるカム体７８とを有する。リクライニング機構の傾斜回動中心軸１４には、リクライニング用操作レバー１５またはウォークイン用操作部材６７の操作により回動して前記リクライニング機構４をアンロックさせる回動アーム２５を取付け、操作レバー１５は空振孔１９を有するリンク杆１７により回動アーム２５を回動させ、ウォークイン用操作部材は操作レバー１５とは別個に回動アーム２５の操作を行えるように構成する。【選択図】図５
2008044559.tif 000002
【特許請求の範囲】
【請求項１】
スライド機構５により前後移動自在の座席シート２に対して、リクライニング機構４により傾斜回動中心軸１４中心に傾斜角度調節自在に背凭シート３を設け、前記リクライニング機構４は、正円形のリング部材８０の内周に円弧ギヤ８３を形成し、前記リング部材８０の内側にロックギヤ部７６を有するロック部材７４を設け、該ロック部材７４はカム体７８により円弧ギヤ８３にロック・アンロックするようにし、該カム体７８は前記リング部材８０内に前記傾斜回動中心軸１４の回転により円弧ギヤ８３に係脱するように構成し、前記傾斜回動中心軸１４には、リクライニング用操作レバー１５またはウォークイン用操作部材６７の操作により回動して前記リクライニング機構４をアンロックにさせる回動アーム２５を取付け、リクライニング用操作レバー１５は空振孔１９を有するリンク杆１７により回動アーム２５を回動操作し、ウォークイン用操作部材はリクライニング用操作レバー１５とは別個に回動アーム２５の操作を行えるように構成し、もって、ウォークイン用操作部材６７による操作で背凭シート３を前倒れさせると、前記スライド機構５をアンロックにしてシート全体を前進させてウォークイン状態にするように構成した車両用シート。
【請求項２】
請求項１において、前記リクライニング用操作レバー１５は支持ブラケット１０に取付け、前記回動アーム２５には前記ウォークイン用操作部材の操作を伝達するケーブル６５を接続し、前記支持ブラケット１０には、前記回動アーム２５のアンロック係合面３３に係合して前記回動アーム２５による前記リクライニング機構４のアンロック状態を保持するメモリー係合部３２を有するメモリーリンク杆３０を設け、前記メモリー係合部３２は、前記アンロック係合面３３の移動軌跡に対して出退自在に構成し、前記ウォークイン用操作部材６７の操作のとき前記メモリー係合部３２は前記アンロック係合面３３に係合し、前記リクライニング用操作レバー１５の操作では前記メモリー係合部３２が前記回動アーム２５のアンロック係合面３３に係合しないように構成した車両用シート。
【請求項３】
請求項２において、前記メモリーリンク杆３０は、切替作動体４０によりメモリー係合部３２がアンロック係合面３３の移動軌跡に対して出退するように構成し、前記切替作動体４０は前記支持ブラケット１０に回動自在に設けた切替用アーム４１の先端に設け、前記支持ブラケット１０には前記切替作動体４０のとき移動する案内溝４３を設け、該案内溝４３は、前記メモリー係合部３２が前記アンロック係合面３３に係合および離脱するとき移動する案内溝部５０と、前記メモリー係合部３２が前記アンロック係合面３３に係合させないように前記切替作動体４０を係合させる係合溝部４４とを有して形成し、該切替用アーム４１には、前記リクライニング用操作レバー１５の規制突起４６により前記切替作動体４０が案内溝４３の係合溝部４４に係合するように移動させる操作規制面４５を設けて構成した車両用シート。
【請求項４】
請求項２または請求項３において、前記メモリーリンク杆３０の所定位置にはカム突起３４を設け、該カム突起３４は、前記切替作動体４０に当接するとメモリー係合部３２をアンロック係合面３３の移動軌跡より退避するように構成した車両用シート。
【請求項５】
請求項２または請求項３または請求項４において、前記背凭シート３には、該背凭シート３が前倒れするとき切替作動体４０を移動させる作動突起５６と、前記背凭シート３を起こすとき切替作動体４０を移動させる復帰用突起５７とを有する当接部材５５を設け、該当接部材５５は、ウォークインのとき、前記切替作動体４０に当接して、前記メモリー係合部３２を前記アンロック係合面３３に係脱させるように構成した車両用シート。
【請求項６】
請求項２または請求項３または請求項４または請求項５において、前記回動アーム２５は、バネ６２により常時リクライニング機構４をロックするように付勢し、前記メモリーリンク杆３０は、バネ６０によりメモリー係合部３２がアンロック係合面３３に係合するように常時付勢するように構成した車両用シート。
【発明の詳細な説明】
【技術分野】
【０００１】
本発明は、車両用シートに係るものであり、特に、前方の車両用シートを前側に移動させて、後側にある車両用シートとの間に、乗降空間を形成するウォークイン装置に関するものである。
【背景技術】
【０００２】
従来、リクライニング機構を、正円形のリング部材の内周に円弧ギヤを形成し、円弧ギヤの内側にロックギヤ部を有するロック部材を設け、ロック部材は傾斜回動中心軸に固定で前記リング部材内に配置したカム体により円弧ギヤにロック・アンロックするように構成し、これにウォークイン機構を連結し、背凭シートを前倒しさせると、スライド機構のロックを解除して車両用シートを前進させるウォークインの構成は公知である（特許文献１参照）。
また、従来、ウォークイン装置に伴って、前倒しさせた背凭シートを元に戻すとき、元の所定傾斜位置に復帰させるリクライニング機構を、当業者はメモリー機構付きリクライニング装置と呼んで公知であり、公知のメモリー機構付きリクライニング機構は、円板の外周に外歯を形成し、この外歯にロックギヤを噛み合わせるようにした構成である（特許文献２参照）。
なお、前倒しさせた背凭シートを、元の所定傾斜位置に復帰させるメモリー機構を内蔵したリクライニング機構は、公知である（特許文献３参照）
【特許文献１】特開２００４−１５５２２８号公報
【特許文献２】特開２００５−１０３１３７号公報
【特許文献３】特開２００４−１７３９２２号公報
【発明の開示】
【発明が解決しようとする課題】
【０００３】
前記公知例のうち特開２００４−１５５２２８号公報のものは、前倒しさせた背凭シートを、元の所定傾斜位置に復帰させるメモリー機構を有しないので、前倒しさせた背凭シートの復帰操作が面倒であるという課題がある。また、背凭シートのみを前倒しさせることができず、操作性に課題がある。即ち、背凭シートを前倒しさせると、スライド機構のロックが解除され、車両用シートは前進してしまうので、背凭シートのみを前倒れさせることができないのである。
前記公知例のうち特開２００５−１０３１３７号公報のものは、前倒しさせた背凭シートを、元の所定傾斜位置に復帰させるメモリー機構付きのリクライニング機構がきさいされているが、リクライニング機構の構成部品のほとんどが背凭フレームに個別に取り付けられているので、取付スペースが広くなるという課題がある。
前記公知例の特開２００４−１７３９２２号公報のものは、メモリー機構を内蔵したリクライニング機構であるので、前倒しさせた背凭シートの復帰操作が容易となるが、メモリー機構を内蔵したリクライニング機構は、構造が複雑で高価であり、リクライニング機構自体が大型になるという課題がある。
本願は、リング部材の内周に円弧ギヤを形成してロックギヤを納めたメモリー機能を有しない一体型のリクライニング機構をでありながら、所定傾斜角度に背凭シートを復帰させるメモリー機構を外側に設けて、通常の車両用シートのリクライニング機構との部品の共用化を図り、リクライニング機構の汎用性を向上させたウォークインを提供するものであり、また、リクライニング機構の操作をリクライニング用操作レバーとウォークイン操作部材の二系統により行えるようにして、操作性を向上させたものである。
【課題を解決するための手段】
【０００４】
本発明は、スライド機構５により前後移動自在の座席シート２に対して、リクライニング機構４により傾斜回動中心軸１４中心に傾斜角度調節自在に背凭シート３を設け、前記リクライニング機構４は、正円形のリング部材８０の内周に円弧ギヤ８３を形成し、前記リング部材８０の内側にロックギヤ部７６を有するロック部材７４を設け、該ロック部材７４はカム体７８により円弧ギヤ８３にロック・アンロックするようにし、該カム体７８は前記リング部材８０内に前記傾斜回動中心軸１４の回転により円弧ギヤ８３に係脱するように構成し、前記傾斜回動中心軸１４には、リクライニング用操作レバー１５またはウォークイン用操作部材６７の操作により回動して前記リクライニング機構４をアンロックにさせる回動アーム２５を取付け、リクライニング用操作レバー１５は空振孔１９を有するリンク杆１７により回動アーム２５を回動操作し、ウォークイン用操作部材はリクライニング用操作レバー１５とは別個に回動アーム２５の操作を行えるように構成し、もって、ウォークイン用操作部材６７による操作で背凭シート３を前倒れさせると、前記スライド機構５をアンロックにしてシート全体を前進させてウォークイン状態にするように構成した車両用シートとしたものである。
本発明は、前記リクライニング用操作レバー１５は支持ブラケット１０に取付け、前記回動アーム２５には前記ウォークイン用操作部材の操作を伝達するケーブル６５を接続し、前記支持ブラケット１０には、前記回動アーム２５のアンロック係合面３３に係合して前記回動アーム２５による前記リクライニング機構４のアンロック状態を保持するメモリー係合部３２を有するメモリーリンク杆３０を設け、前記メモリー係合部３２は、前記アンロック係合面３３の移動軌跡に対して出退自在に構成し、前記ウォークイン用操作部材６７の操作のとき前記メモリー係合部３２は前記アンロック係合面３３に係合し、前記リクライニング用操作レバー１５の操作では前記メモリー係合部３２が前記回動アーム２５のアンロック係合面３３に係合しないように構成した車両用シートとしたものである。
本発明は、前記メモリーリンク杆３０は、切替作動体４０によりメモリー係合部３２がアンロック係合面３３の移動軌跡に対して出退するように構成し、前記切替作動体４０は前記支持ブラケット１０に回動自在に設けた切替用アーム４１の先端に設け、前記支持ブラケット１０には前記切替作動体４０のとき移動する案内溝４３を設け、該案内溝４３は、前記メモリー係合部３２が前記アンロック係合面３３に係合および離脱するとき移動する案内溝部５０と、前記メモリー係合部３２が前記アンロック係合面３３に係合させないように前記切替作動体４０を係合させる係合溝部４４とを有して形成し、該切替用アーム４１には、前記リクライニング用操作レバー１５の規制突起４６により前記切替作動体４０が案内溝４３の係合溝部４４に係合するように移動させる操作規制面４５を設けて構成した車両用シートとしたものである。
本発明は、前記メモリーリンク杆３０の所定位置にはカム突起３４を設け、該カム突起３４は、前記切替作動体４０に当接するとメモリー係合部３２をアンロック係合面３３の移動軌跡より退避するように構成した車両用シートとしたものである。
本発明は、前記背凭シート３には、該背凭シート３が前倒れするとき切替作動体４０を移動させる作動突起５６と、前記背凭シート３を起こすとき切替作動体４０を移動させる復帰用突起５７とを有する当接部材５５を設け、該当接部材５５は、ウォークインのとき、前記切替作動体４０に当接して、前記メモリー係合部３２を前記アンロック係合面３３に係脱させるように構成した車両用シートとしたものである。
本発明は、前記回動アーム２５は、バネ６２により常時リクライニング機構４をロックするように付勢し、前記メモリーリンク杆３０は、バネ６０によりメモリー係合部３２がアンロック係合面３３に係合するように常時付勢するように構成した車両用シートとしたものである。
【発明の効果】
【０００５】
請求項１の発明では、ウォークイン用操作部材６７の操作のときにはリクライニング用操作レバー１５を空振孔１９により空振りさせるので、ウォークイン用操作部材６７とリクライニング用操作レバー１５は個別に操作でき、リクライニング用操作レバー１５により背凭シートを前倒れさせたとき、スライド機構５のロックが解除されて生じる車両用シート１の前進を防止でき、操作性を向上させることができる。
請求項２の発明では、リクライニング用操作レバー１５の操作ではメモリーリンク杆３０が回動アーム２５のリクライニング機構４のアンロック状態保持しないので、リクライニング用操作レバー１５は背凭シート３の傾斜調節だけを行え、ウォークイン用操作部材６７の操作ではメモリーリンク杆３０が回動アーム２５をアンロック状態保持してウォークインさせ、ウォークイン状態から背凭シート３を起立させると、メモリーリンク杆３０が背凭シート３を元の傾斜角度に復帰させることができる。
請求項３の発明では、切替作動体４０が、ウォークイン用操作部材６７とリクライニング用操作レバー１５との操作において、メモリーリンク杆３０を介して回動アーム２５のリクライニング機構４のアンロック状態の保持を切り替えるので、ウォークイン用操作部材６７ではウォークインを、リクライニング用操作レバー１５では傾斜調節を行うことができる。
請求項４の発明では、カム突起３４が切替作動体４０の移動によりメモリーリンク杆３０を係脱させるので、簡単な構成でウォークイン用操作部材６７とリクライニング用操作レバー１５との操作を切り替えることができる。
請求項５の発明では、メモリーリンク杆３０を係脱させる切替作動体４０を、当接部材５５により移動させるので、簡単な構成で、背凭シート３を元の傾斜角度に復帰させることができる。
請求項６の発明では、回動アーム２５およびメモリーリンク杆３０の作動を確実・円滑にすることができる。
【発明を実施するための最良の形態】
【０００６】
本発明の一実施例を図面により説明すると、１は車両用シートであり、車両用シート１は、座席シート２に背凭シート３をリクライニング機構４を介して傾斜角度調節自在に取付け、前記背凭シート２はスライド機構５を介して車体側に前後位置移動調節自在に取付ける。
しかして、背凭シート３を所定傾斜角度の着座位置から前倒しさせると、前記スライド機構５のロックを解除してシート全体を前進させるウォークイン機構６を設け、本願はこのウォークイン機構６に関するものである。
ウォークイン機構６は、背凭シート３を前倒れさせ車両用シート１を前側に移動させることで、車両用シート１の後側にある後側の車両用シート（図示省略）への乗降性を良好にさせる。
【０００７】
しかして、座席シート２側には支持ブラケット１０を取付け、支持ブラケット１０には背凭フレーム１１を傾斜回動中心軸１４により回動自在に取付ける。支持ブラケット１０と背凭フレーム１１との間に前記リクライニング機構４を設ける。
リクライニング機構４の詳細は後述するが、リクライニング用操作レバー１５によりロックを解除すると、背凭フレーム１１は傾斜回動中心軸１４を中心に前後回動する。リクライニング用操作レバー１５は前記支持ブラケット１０にレバー取付軸１６により回動自在に取付け、リクライニング用操作レバー１５にはリンク杆１７の一端を軸１８により取付ける。リンク杆１７の他端には、空振孔１９を形成する。
空振孔１９には軸２０を挿通し、軸２０には回動アーム２５の先端の屈曲取付部２６を取付ける。回動アーム２５の基部は前記傾斜回動中心軸１４に固定状態に取付け、回動アーム２５を図５において左側に回動させることで、リクライニング機構４のロックを解除する。
【０００８】
３０は、アンロック状態に回動した前記回動アーム２５を保持するメモリーリンク杆であり、前記支持ブラケット１０に軸３１により回動自在に取付ける。メモリーリンク杆３０の先端にはメモリー係合部３２を形成し、ウォークインのとき、メモリー係合部３２は回動アーム２５のアンロック係合面３３に係合してリクライニング機構４のロック解除状態（アンロック状態）を保持する。３４はカム突起、３５，３６はカム面である。
前記支持ブラケット１０には、前記メモリーリンク杆３０を、回動アーム２５に対して係脱させる切替作動体（ピン）４０を設ける。切替作動体４０は切替用アーム４１の先端側所定位置に設け、切替作動体４０は取付孔４２をレバー取付軸１６に挿通して支持ブラケット１０に回動自在に取付ける。
切替作動体４０は、メモリーリンク杆３０のカム突起３４に当接すると、メモリーリンク杆３０を下方回動させて、メモリーリンク杆３０を回動アーム２５から離脱させ、アンロック保持状態を解放する（リクライニング機構４をロック状態にする）。
【０００９】
切替用アーム４１には、切替作動体４０を後述する案内溝４３の係合溝部４４に移動させるための操作規制面４５を形成し、操作規制面４５にはリクライニング用操作レバー１５に設けた規制突起４６を当接させる。
しかして、前記案内溝４３は前記支持ブラケット１０に形成し、案内溝４３は傾斜回動中心軸１４を中心とする略円弧状に長くかつ所定の幅を有して形成した案内溝部５０を有し、案内溝部５０の前端には案内溝部５０より放射方向外側に外れるように前記係合溝部４４を形成して、全体として略「へ」の字形状に形成する。
前記背凭フレーム１１には、前記切替作動体４０を移動させる当接部材５５を設ける。当接部材５５の作動突起５６は背凭シート３を前倒れさせると、切替作動体４０に当接して、切替作動体４０を案内溝４３の案内溝部５０内を移動させる。当接部材５５には復帰用突起５７を設け、復帰用突起５７は案内溝部５０内の切替作動体４０を図１７において左側に移動させる。
この場合、切替用アーム４１はレバー取付軸１６を中心に回動し、当接部材５５は傾斜回動中心軸１４を中心に回動するため、当接部材５５が切替作動体４０を案内溝４３の案内溝部５０内を移動させうるように、切替用アーム４１と、当接部材５５と、案内溝４３とを相対的に配置構成する。
【００１０】
６０はメモリーリンク杆３０のメモリー係合部３２を回動アーム２５のアンロック係合面３３に係合するように付勢するバネ、６１は背凭シート３を前倒れさせるように付勢するバネ、６２は回動アーム２５をロック方向に付勢するバネ、６５はケーブルであり、ケーブル６５の一端は回動アーム２５の係止部６６に係止する。ケーブル６５の他端は車両用シート１の所望位置に設けたウォークイン用操作部材６７に接続する。
しかして、前記ウォークイン機構６は、メモリーリンク杆３０と切替作動体４０と支持ブラケット１０の案内溝４３と当接部材５５とを有して構成し、リクライニング機構４のロックを解除して背凭シート３を前倒れさせ、次に、スライド機構５のロックを解除してシート全体を前進させる。また、メモリーリンク杆３０と切替作動体４０と支持ブラケット１０の案内溝４３と当接部材５５は、前倒しさせた背凭シートを、元に戻すとき、元の所定傾斜位置に復帰させるメモリー機構を兼用する。
【００１１】
しかして、前記リクライニング機構４の一例を示すと、嵌合支持兼ガイド部材７０を有し、嵌合支持兼ガイド部材７０は側方に膨出する膨出部７１、７１を形成する。膨出部７１はガイド直線部７２と支持円弧部７３を有し、ガイド直線部７２とガイド直線部７２の間に摺動ロック部材７４が摺動するロック摺動溝７５を形成する。
前記摺動ロック部材７４は摺動方向の一方面にロックギヤ部７６を形成し、摺動ロック部材７４の中間部には略円形で前後いずれかを開口したカム溝７７を形成する。カム溝７７内にはカム体７８を嵌合させ、カム体７８には傾斜回動中心軸１４に固定する。
前記膨出部７１、７１の夫々の支持円弧部７３の外周にはリング部材８０の正円形の嵌合孔８１を嵌合させ、嵌合孔８１の内周面には前記摺動ロック部材７４のロックギヤ部７６が継脱する円弧ギヤ８３を形成する。
【００１２】
前記嵌合支持兼ガイド部材７０と前記リング部材８０によりシートのリクライニング機構４を構成することは可能であるが、本実施例では、リング部材８０の外側に他方側嵌合支持兼ガイド部材８４を設け、リング部材８０を嵌合支持兼ガイド部材７０と他方側嵌合支持兼ガイド部材８４とのより挟持し、リクライニング機構４として完成させ、取付・組付を容易にしている。
リクライニング用操作レバー１５を傾斜回動中心軸１４中心に回動操作すると、リクライニング用操作レバー１５がカム体７８を回転させ、カム体７８は摺動ロック部材７４のカム溝７７に当接し、摺動ロック部材７４は膨出部７１、７１の間のロック摺動溝７５内を円弧ギヤ８３から離れる方向に摺動してリクライニング機構４をアンロックにし、背凭シート３の傾斜角度を調節し、リクライニング用操作レバー１５を離すと、バネ（図示省略）によりカム体７８をロック方向に回動させ、ロック摺動溝７５内を摺動ロック部材７４が摺動し、円弧ギヤ８３に摺動ロック部材７４のロックギヤ部７６が係合してリクライニング機構４をロックする。
【００１３】
また、摺動ロック部材７４がロック摺動溝７５内を移動してリクライニング機構４をアンロックにして、背凭シート３の回動を自由にすると、背凭シート３はバネ６１によりウォークイン前の所定傾斜位置まで後側回動して復帰する。
しかして、前記スライド機構５の構成は任意であるが、以下、一例を示すと、９０はスライド機構５のスライドレールであり、車体側に固定のロアーレール９１にアッパーレール９２を前後摺動自在に取付け、アッパーレール９２に設けたロック部９３をロアーレール９１に前後複数並設した係合部９４に継脱するように設けて構成している。
ロック部９３は前後方向の回動アーム９５の後部に形成され、回動アーム９５の中間部をアッパーレール９２に軸９６により回動自在に取付け、回動アーム９５の前側にスライド用操作レバー（図示省略）を設ける。
【００１４】
前記回動アーム９５の後端の係合面９７にはアンロック切替部材９８の一端を当接させる。アンロック切替部材９８はウォークイン機構６と連動して回動し、アンロック切替部材９８が回動アーム９５の後端上面から離れると、ロック部９３が軸９６中心に上方回動することにより係合部９４に係合してスライド機構５をロックし、アンロック切替部材９８が回動アーム９５の後端上面を押すと、ロック部９３が軸９６中心に下方回動することにより係合部９４から離脱してスライド機構５をアンロックさせてウォークイン状態とする。
また、前倒し状態から後方にスライドさせて所望位置にて背凭シート３を着座状態に戻すと、スライド機構５はスライドロック状態に復帰する。
【００１５】
（実施例の作用）
背凭シート３の所望位置に設けたウォークイン用操作部材６７を操作すると、まず、リクライニング機構４がアンロック状態になって背凭シート３が前倒れし、次に、背凭シート３の前倒れによりスライド機構５のロックを解除してシート全体を前進させ、前進させたシート後方の車両用シート１との間に、人が乗降可能な乗降空間を形成して、ウォークイン状態となる。
以下、具体的作動を説明する。
【００１６】
（ウォークイン）
ウォークイン用操作部材６７を操作すると、ケーブル６５が牽引され、ケーブル６５は回動アーム２５を図５において左側に回動させ、回動アーム２５は傾斜回動中心軸１４を時計回転させてリクライニング機構４をアンロック状態にする（図９）。
この場合、リクライニング用操作レバー１５は操作されていないので、軸２０は回動アーム２５の回動によりリンク杆１７の空振孔１９内を移動し、リンク杆１７は動かず、もちろん、リクライニング用操作レバー１５も動かない（図９）。
したがって、詳細は後述するが、リクライニング用操作レバー１５の規制突起４６は切替用アーム４１の操作規制面４５に当接しないので、切替作動体４０は案内溝４３の案内溝部５０内に位置している。
【００１７】
しかして、回動アーム２５の左側回動により、背凭シート３が着座位置より前倒れすると（図１０）、背凭シート３の当接部材５５の作動突起５６が切替作動体４０に当たり、背凭シート３の前倒れにより作動突起５６は切替作動体４０を支持ブラケット１０の案内溝４３の案内溝部５０内を図１０において右移動させる。
切替作動体４０が右移動してメモリーリンク杆３０のカム突起３４を通過すると（図１１）、メモリーリンク杆３０はバネ６０の弾力により回動し、メモリーリンク杆３０のメモリー係合部３２が回動アーム２５のアンロック係合面３３に係合する。
【００１８】
メモリーリンク杆３０のメモリー係合部３２が回動アーム２５のアンロック係合面３３に係合すると、回動アーム２５はアンロック状態の位置で保持され、背凭シート３は更に前倒れする。ウォークインの位置まで背凭シート３が前倒れすると、スライド機構５のロックを解除してシート全体を前進させてウォークイン状態にする。
しかして、ウォークインの位置まで背凭シート３が前倒れすると、図１６の状態になり、切替作動体４０は案内溝４３の案内溝部５０の右側に位置し、切替作動体４０には当接部材５５の復帰用突起５７が当接しており、メモリーリンク杆３０のメモリー係合部３２は回動アーム２５のアンロック係合面３３に係合している。
【００１９】
また、スライド機構５はアンロック状態のままであるから、ウォークイン状態から車両用シート１を後方移動させると、所定位置で車両用シート１は停止してスライド機構５はロックする。
次に、背凭シート３を起こすと、図１６の状態から当接部材５５の復帰用突起５７が切替作動体４０を、案内溝部５０内を左側に向けて移動させる（図１７）。切替作動体４０が左移動してメモリーリンク杆３０のカム突起３４を通過すると（図１１から図１０）、メモリーリンク杆３０のメモリー係合部３２はバネ６０の弾力に抗して下方回動し、メモリーリンク杆３０のメモリー係合部３２は回動アーム２５のアンロック係合面３３から離脱する。
【００２０】
メモリーリンク杆３０のメモリー係合部３２が離脱すると、回動アーム２５はバネ６２の弾力によりロック状態へ回動する。
即ち、切替作動体４０が左移動してメモリーリンク杆３０のカム突起３４を通過するとき、背凭シート３は起立した所定傾斜角度になっており、回動アーム２５が右回動してリクライニング機構４をロック状態になって、背凭シート３の傾斜角度を保持する。
したがって、メモリー機構を有しないリクライニング機構４を使用しながら、ウォークイン機構６によりウォークインさせて復帰させると背凭シート３を元の傾斜角度に復帰させることができ、安価なリクライニング機構４で、しかも、取付を容易にして、合理的構成となる。
【００２１】
（リクライニング）
リクライニング機構４による背凭シート３の傾斜角度調節時のウォークイン機構６の作動を説明すると、リクライニング用操作レバー１５を操作すると、リクライニング用操作レバー１５はリンク杆１７を牽引し、リンク杆１７の空振孔１９の内周が軸２０に当接して軸２０を牽引し、軸２０は回動アーム２５を図１８において左側に回動させ、回動アーム２５は傾斜回動中心軸１４を時計回転させてリクライニング機構４をアンロック状態にする。
【００２２】
このリクライニング用操作レバー１５の操作のとき、リクライニング用操作レバー１５の規制突起４６は切替用アーム４１の操作規制面４５に当接し、切替用アーム４１はレバー取付軸１６中心に反時計回転するので（図５から図１８）、切替作動体４０が支持ブラケット１０の案内溝４３の係合溝部４４に嵌合する。
背凭シート３の前倒れによる作動突起５６の移動軌跡から切替作動体４０は退避するので（図１９）、切替作動体４０は背凭シート３のリクライニング調節している間常時メモリーリンク杆３０を下方に退避させ、メモリーリンク杆３０のメモリー係合部３２を回動アーム２５のアンロック係合面３３に係合させない。
【００２３】
リクライニング機構４がアンロック状態のときに、背凭シート３を所望の傾斜角度に調節し、リクライニング用操作レバー１５を離すと、回動アーム２５はバネ６２の弾力により図２０の右側へ回動し、回動アーム２５の右回動により傾斜回動中心軸１４が回転して、リクライニング機構４をロック状態にし、背凭シート３を所望の傾斜角度に保持する。
以上のように、リクライニング用操作レバー１５の操作のときには、リクライニング機構４を単独で操作して、ウォークイン機構６を作動させないので、仮に、背凭シート３を前倒れさせても、スライド機構５はアンロックにはならず、ウォークインしない。したがって、誤操作を防止する。
なお、理解を容易にするため、図９等において、回動アーム２５の屈曲取付部２６の図を省略しているが、これにより、構成が限定されることはない。
【図面の簡単な説明】
【００２４】
【図１】リクライニングおよびスライド状態と、ウォークイン状態の説明側面図。
【図２】ウォークイン機構の分解斜視図。
【図３】ウォークイン機構を省略した側面図。
【図４】同斜視図。
【図５】背凭シートの起立状態側面図。
【図６】背凭シートが起立状態のときの回動アームの側面図。
【図７】同斜視図。
【図８】同ウォークイン機構の一部を省略して当接部材の位置を示す側面図。
【図９】リクライニング装置がアンロックにした状態の側面図。
【図１０】背凭シートの前倒れを開始した状態の側面図。
【図１１】メモリーリンク杆のメモリー係合部と回動アームのアンロック係合面との係合状態側面図。
【図１２】同側面図。
【図１３】同平面図。
【図１４】同斜視図。
【図１５】背凭シートの前倒れ状態の側面図。
【図１６】図１５のときの当接部材の位置を示す側面図。
【図１７】背凭シートの起こし始めた状態の側面図。
【図１８】リクライニング用操作レバーを操作した状態の側面図。
【図１９】背凭シートの前倒れ時の作動突起と切替作動体との位置関係を示す側面図。
【図２０】同背凭シートの前倒れ状態の側面図。
【図２１】リクライニング機構の分解図。
【図２２】同側面図。
【図２３】スライド機構の側面図。
【符号の説明】
【００２５】
１…車両用シート 、２…座席シート 、３…背凭シート 、４…リクライニング機構 、５…スライド機構 、６…ウォークイン機構 、１０…支持ブラケット、１１…背凭フレーム、１４…傾斜回動中心軸、１５…リクライニング用操作レバー、１６…軸、１７…リンク杆、１８…軸、１９…空振孔、２０…軸、２５…回動アーム、２６…屈曲取付部、３０…メモリーリンク杆、３１…軸、３２…メモリー係合部、３３…アンロック係合面、３４…カム突起、４０…切替作動体、４１…切替用アーム、４２…軸、４３…案内溝、４４…係合溝部、４５…操作規制面、４６…規制突起、５０…案内溝部、５５…当接部材、５６…作動突起、５７…復帰用突起、６０…バネ、６１…バネ、６２…バネ、６５…ケーブル、６６…係止部、７０…嵌合支持兼ガイド部材、７１…膨出部、７２…ガイド直線部、７３…支持円弧部、７４…ロック部材、７５…ロック摺動溝、７６…ロックギヤ部、７７…カム溝、７８…カム体、８０…リング部材、８１…嵌合孔、８３…円弧ギヤ。
【図１】
2008044559.tif 000003
【図２】
2008044559.tif 000004
【図３】
2008044559.tif 000005
【図４】
2008044559.tif 000006
【図５】
2008044559.tif 000007
【図６】
2008044559.tif 000008
【図７】
2008044559.tif 000009
【図８】
2008044559.tif 000010
【図９】
2008044559.tif 000011
【図１０】
2008044559.tif 000012
【図１１】
2008044559.tif 000013
【図１２】
2008044559.tif 000014
【図１３】
2008044559.tif 000015
【図１４】
2008044559.tif 000016
【図１５】
2008044559.tif 000017
【図１６】
2008044559.tif 000018
【図１７】
2008044559.tif 000019
【図１８】
2008044559.tif 000020
【図１９】
2008044559.tif 000021
【図２０】
2008044559.tif 000022
【図２１】
2008044559.tif 000023
【図２２】
2008044559.tif 000024
【図２３】
2008044559.tif 000025
【手続補正書】
【提出日】平成18年12月18日(2006.12.18)
【手続補正１】
【補正対象書類名】図面
【補正対象項目名】図２
【補正方法】変更
【補正の内容】
【図２】
2008044559.tif 000026
【手続補正２】
【補正対象書類名】図面
【補正対象項目名】図６
【補正方法】変更
【補正の内容】
【図６】
2008044559.tif 000027
【手続補正３】
【補正対象書類名】図面
【補正対象項目名】図７
【補正方法】変更
【補正の内容】
【図７】
2008044559.tif 000028
【手続補正４】
【補正対象書類名】図面
【補正対象項目名】図１０
【補正方法】変更
【補正の内容】
【図１０】
2008044559.tif 000029
【手続補正５】
【補正対象書類名】図面
【補正対象項目名】図１２
【補正方法】変更
【補正の内容】
【図１２】
2008044559.tif 000030
【手続補正６】
【補正対象書類名】図面
【補正対象項目名】図１３
【補正方法】変更
【補正の内容】
【図１３】
2008044559.tif 000031
【手続補正７】
【補正対象書類名】図面
【補正対象項目名】図１４
【補正方法】変更
【補正の内容】
【図１４】
2008044559.tif 000032
【手続補正８】
【補正対象書類名】図面
【補正対象項目名】図１９
【補正方法】変更
【補正の内容】
【図１９】
2008044559.tif 000033
【手続補正９】
【補正対象書類名】図面
【補正対象項目名】図２１
【補正方法】変更
【補正の内容】
【図２１】
2008044559.tif 000034
【手続補正１０】
【補正対象書類名】図面
【補正対象項目名】図２２
【補正方法】変更
【補正の内容】
【図２２】
2008044559.tif 000035
【手続補正１１】
【補正対象書類名】図面
【補正対象項目名】図２３
【補正方法】変更
【補正の内容】
【図２３】
2008044559.tif 000036